(57)【要約】【課題】複数種類のシャフトフレックスを揃えた同一モデルのゴルフクラブにおいて、各シャフトフレックスのゴルフクラブヘッドの特性や性能のばらつきを低減して品質を維持する。【解決手段】ゴルフクラブ１は、ヘッド部２とシャフト部３とグリップ部４とを備え、硬さの異なる３種類以上のシャフトフレックス展開をしたものである。ゴルフクラブ１はウッド型のゴルフクラブであり、各ゴルフクラブ１のスイングバランスが、シャフトフレックスが硬くなるに従って１段階ずつ増加し、かつ各ゴルフクラブ１のシャフト部３の質量が、シャフトフレックスが硬くなるに従って６ｇ以上８．５ｇ以下の量ずつ増加するように、スイングバランスとシャフト部の質量とをシャフトフレックスに応じて調整する。【選択図】図１
2009240627.tif 000002
【特許請求の範囲】
【請求項１】
ヘッド部（２）とシャフト部（３）とグリップ部（４）とを備え、硬さの異なる３種類以上のシャフトフレックス展開をしたウッド型のゴルフクラブであって、
各ゴルフクラブのスイングバランスが、前記シャフトフレックスが硬くなるに従って１段階ずつ増加し、かつ前記各ゴルフクラブのシャフト部（３）の質量が、前記シャフトフレックスが硬くなるに従って６ｇ以上８．５ｇ以下の量ずつ増加するように、前記スイングバランスと前記シャフト部（３）の質量とを前記シャフトフレックスに応じて調整した、ゴルフクラブ。
【請求項２】
前記シャフト部（３）に組み付ける前の状態の前記各ゴルフクラブのヘッド部（２）間の質量差の最大値が０．５ｇ以下となるように、前記ヘッド部（２）の質量が設定された、請求項１に記載のゴルフクラブ。
【請求項３】
ヘッド部（２）とシャフト部（３）とグリップ部（４）とを備え、硬さの異なる３種類以上のシャフトフレックス展開をしたウッド型のゴルフクラブであって、
前記シャフトフレックスが硬くなるに従って１段階ずつ各ゴルフクラブのスイングバランスが増加し、前記シャフトフレックスが硬くなるに従って３ｇ以上７．２ｇ未満の量ずつ前記シャフト部（３）の質量が増加し、かつ前記シャフトフレックスが硬くなるに従って前記シャフト部（３）の重心率が増加するように、前記スイングバランスと前記シャフト部（３）の質量と前記シャフト部（３）の重心率とを前記シャフトフレックスに応じて調整した、ゴルフクラブ。
【請求項４】
ヘッド部（２）とシャフト部（３）とグリップ部（４）とを備え、硬さの異なる３種類以上のシャフトフレックス展開をしたウッド型のゴルフクラブであって、
前記シャフトフレックスが硬くなるに従って１段階ずつ各ゴルフクラブのスイングバランスが増加し、前記シャフトフレックスが硬くなるに従って７．２ｇより多く１２ｇ以下の量ずつ前記シャフト部（３）の質量が増加し、かつ前記シャフトフレックスが硬くなるに従って前記シャフト部（３）の重心率が減少するように、前記スイングバランスと前記シャフト部（３）の質量と前記シャフト部（３）の重心率とを前記シャフトフレックスに応じて調整した、ゴルフクラブ。
【請求項５】
ヘッド部（２）とシャフト部（３）とグリップ部（４）とを備え、硬さの異なる３種類以上のシャフトフレックス展開をしたゴルフクラブであって、
前記シャフト部（３）に組み付ける前の状態の前記各ゴルフクラブの前記ヘッド部（２）間の質量差の最大値が０．５ｇ以下となるように、前記シャフトフレックスが硬くなるに従って１段階ずつ各ゴルフクラブのスイングバランスを増加させるとともに、前記シャフトフレックスが硬くなるに従って前記各ゴルフクラブの前記シャフト部（３）の質量を増加させるようにした、ゴルフクラブ。
【請求項６】
前記シャフトフレックスに応じて前記シャフト部（３）の重心率をも調整した、請求項５に記載のゴルフクラブ。
【発明の詳細な説明】
【技術分野】
【０００１】
本発明は、ゴルフクラブに関し、特に、同一モデルで３種類以上の異なるシャフトフレックス展開をしたゴルフクラブに関する。
【背景技術】
【０００２】
一般に、ヘッドスピードが速い人またはスイングテンポが速い人は、硬いシャフトフレックスが適合する傾向があり、ヘッドスピードが遅い人またはスイングテンポが遅い人は、軟らかいシャフトフレックスが適合する傾向が一般的に見られる。
【０００３】
ここで、「スイングテンポ」とは、各々のゴルファのスイングのテンポを意味する。このスイングテンポは、典型的には、スイングにおけるシャフトの最大撓み量、すなわち、シャフト手元部に対する先端部の最大変位量に基づいて評価されるが、スイング時間、トップオブスイングの所定時間前のクラブヘッド速度およびトップオブスイング近傍におけるクラブヘッド加速度のいずれかに基づいて評価してもよい。また「シャフトフレックス」とは、ゴルフクラブのシャフトの硬さ（曲げ剛性）のことであり、シャフトの先端部に一定質量（荷重）を付与したときのシャフトの撓み量によって何種類かのシャフトフレックスに区別される。
【０００４】
上記のようにヘッドスピードやスイングテンポの違いにより適合するシャフトフレックスが異なることから、同一モデルにおいても、ゴルファのスイングタイプ別に２つまたは３つ以上の種類のシャフトフレックスを揃えたゴルフクラブが多くのモデルで発売されている。
【０００５】
また、ヘッドスピードが速い人またはスイングテンポが速い人は、比較的体格・筋力に優れ、重いバランス（ヘッド側に質量配分を多くする）や質量の大きいゴルフクラブが適合することも一般的である。
【０００６】
そのため、３種類以上のシャフトフレックスを有するタイプのゴルフクラブにおいて、隣り合うレベルのシャフトフレックスのゴルフクラブにおけるバランスを、シャフトフレックスが硬くなるに従い、１ポイント（１段階）ずつ漸次増加させるモデルも多くなってきた。たとえばシャフトフレックスの種類が「硬さ１」〜「硬さ３」の３種類である場合（硬さ１〜３の順に硬くなる）、隣り合うレベルのシャフトフレックスである「硬さ１」と「硬さ２」について、「硬さ２」のシャフトを「硬さ１」のシャフトよりもバランスを１ポイント増加させることとなる。
【０００７】
従来より、隣り合うレベルのシャフトフレックスのゴルフクラブにおけるシャフト質量を、シャフトフレックスが硬くなるに従い、２ｇまたは３ｇずつ等少量を増加させたモデルは存在する。これは、たとえばカーボンシャフトにおいては、少しの部材の方向を変更したり、少しの部材において弾性率の違う材料に置き換えたりするだけで、または、少しの部材を追加するだけで非常に簡単に効率よく、硬さの異なるシャフトを生産することが可能となるためである。
【０００８】
また、ゴルフクラブのスイングバランスを調整するために、ゴルフクラブヘッドの質量調整も行なっている。このとき、各シャフトフレックスのゴルフクラブの中で、シャフトにゴルフクラブヘッドを組み付ける前の最も軽いゴルフクラブヘッドの質量を基準とし、それよりも重くする必要のあるゴルフクラブヘッドに粘着材や錘等の質量を付加することでスイングバランスを調整している。
【０００９】
ここで、「スイングバランス」とは、ゴルフクラブをスイングした時に感じられるヘッド重さを意味し、本願明細書において「スイングバランス」とは、１４インチのロリスミック計（またはプロリスミック計）によるバランス（以下「１４インチスイングバランス」ともいう）をいう。
【００１０】
なお、ゴルフクラブヘッドの質量を調整する手法としては様々な手法が考えられるが、該質量調整法は、たとえば特開２００２−１１１２３号公報、特開２００１−２０４８５８号公報、特開２００１−１１２８９３号公報、特開２０００−５３５０号公報等に記載されている。
【特許文献１】特開２００２−１１１２３号公報
【特許文献２】特開２００１−２０４８５８号公報
【特許文献３】特開２００１−１１２８９３号公報
【特許文献４】特開２０００−５３５０号公報
【発明の開示】
【発明が解決しようとする課題】
【００１１】
上述のようにゴルフクラブのスイングバランスを調整すべくゴルフクラブヘッドに粘着材や錘等の質量を付加すると、スイングバランスについては調整できるものの、該ゴルフクラブの飛距離に大きく影響を及ぼすゴルフクラブヘッドの反発特性やスイートエリアの大きさに影響を与えることとなる。また、上記にような粘着材や錘等の付加質量は、ゴルフクラブヘッドの慣性モーメントや重心位置にも影響を与える。つまり、シャフトフレックスの異なる同一モデルのゴルフクラブ間で、ゴルフクラブヘッドの特性や性能が変化することとなる。
【００１２】
特に、従来のようにシャフト質量の変化量を３ｇ程度に小さく抑えた場合には、必然的にゴルフクラブヘッドへ付加する質量が多くなり、ゴルフクラブヘッドの特性や性能が大きく変化することとなる。
【００１３】
したがって、複数種類のシャフトフレックス展開をしているタイプのゴルフクラブにおいて、各シャフトフレックスのゴルフクラブの特性や性能のばらつきを低減して高品質に維持するという観点からは、ゴルフクラブヘッドへの付加質量が多いことは望ましくないといえる。
【００１４】
本発明は、上記のような課題を解決するためになされたものであり、複数種類のシャフトフレックスを揃えた同一モデルのゴルフクラブにおいて、各シャフトフレックスのゴルフクラブヘッドの特性や性能のばらつきを低減して品質を維持することが可能なゴルフクラブを提供することを目的とする。
【課題を解決するための手段】
【００１５】
本発明に係るゴルフクラブは、１つの局面では、ヘッド部とシャフト部とグリップ部とを備え、硬さの異なる３種類以上のシャフトフレックス展開をしたウッド型のゴルフクラブであって、各ゴルフクラブのスイングバランスが、シャフトフレックスが硬くなるに従って１段階ずつ増加し、かつ各ゴルフクラブのシャフト部の質量が、シャフトフレックスが硬くなるに従って６ｇ以上８．５ｇ以下の量ずつ増加するように、スイングバランスとシャフト部の質量とをシャフトフレックスに応じて調整したものである。
【００１６】
好ましくは、上記シャフト部に組み付ける前の状態の各ゴルフクラブのヘッド部間の質量差の最大値が０．５ｇ以下となるように、ヘッド部の質量を設定する。
【００１７】
本発明に係るゴルフクラブは、他の局面では、ヘッド部とシャフト部とグリップ部とを備え、硬さの異なる３種類以上のシャフトフレックス展開をしたウッド型のゴルフクラブであって、シャフトフレックスが硬くなるに従って１段階ずつ各ゴルフクラブのスイングバランスが増加し、シャフトフレックスが硬くなるに従って３ｇ以上７．２ｇ未満の量ずつシャフト部の質量が増加し、かつシャフトフレックスが硬くなるに従ってシャフト部の重心率が増加するように、スイングバランスとシャフト部の質量とシャフト部の重心率とをシャフトフレックスに応じて調整したものである。ここで、「シャフト重心率」とは、シャフト部全長に対する、シャフト部のグリップエンド側から重心位置までの距離の割合を、％表示したものである。
【００１８】
本発明に係るゴルフクラブは、さらに他の局面では、ヘッド部とシャフト部とグリップ部とを備え、硬さの異なる３種類以上のシャフトフレックス展開をしたウッド型のゴルフクラブであって、シャフトフレックスが硬くなるに従って１段階ずつ各ゴルフクラブのスイングバランスが増加し、シャフトフレックスが硬くなるに従って７．２ｇより多く１２ｇ以下の量ずつシャフト部の質量が増加し、かつシャフトフレックスが硬くなるに従ってシャフト部の重心率が減少するように、スイングバランスとシャフト部の質量とシャフト部の重心率とをシャフトフレックスに応じて調整したものである。
【００１９】
本発明に係るゴルフクラブは、さらに他の局面では、ヘッド部とシャフト部とグリップ部とを備え、硬さの異なる３種類以上のシャフトフレックス展開をしたゴルフクラブであって、シャフト部に組み付ける前の状態の各ゴルフクラブのヘッド部間の質量差の最大値が０．５ｇ以下となるように、シャフトフレックスが硬くなるに従って１段階ずつ各ゴルフクラブのスイングバランスを増加させるとともに、シャフトフレックスが硬くなるに従って各ゴルフクラブのシャフト部の質量を増加させるようにしたものである。なお、上記シャフトフレックスに応じてシャフト部の重心率を調整するようにしてもよい。
【発明の効果】
【００２０】
本発明によれば、シャフトフレックスに応じたシャフト部の質量やシャフト部の重心率の変化量を工夫することで、シャフトフレックスの異なる同一モデルの各ゴルフクラブの組付け前のヘッド部間の質量差を格段に低減することができる。それにより、シャフト部への組付け前のヘッド部に付加すべき質量を低減あるいは省略することができ、各シャフトフレックスのゴルフクラブのヘッド部間の特性や性能のばらつきを低減することができる。その結果、シャフトフレックスの異なる同一モデルのゴルフクラブ間で品質を維持することができる。
【発明を実施するための最良の形態】
【００２１】
以下、本発明の実施の形態について図１〜図２を用いて説明する。図１は、本実施の形態のゴルフクラブ１の正面図である。
【００２２】
図１に示すように、ゴルフクラブ１は、ヘッド部２と、シャフト部３と、グリップ部４とを備える。なお、図１の例では、ゴルフクラブ１としてウッド型ゴルフクラブを例示しているが、本発明はアイアン型ゴルフクラブにも適用可能である。
【００２３】
ヘッド部２は、たとえば金属製外殻構造を有し、チタンやチタン合金をはじめとする様々な金属材料で作製可能である。また、複数のパーツを組合せてヘッド部２を作製してもよく、金属部材と非金属部材のような異種材料の部材を組合せてヘッド部２を作製することも可能である。該ヘッド部２には、粘着材や錘部材等の様々な部材を装着可能である。
【００２４】
シャフト部３の材質としては様々なものが考えられるが、たとえばカーボン繊維強化樹脂でシャフト部３を作製することができる。カーボン繊維強化樹脂でシャフト部３を作製する場合、たとえば棒状のマンドレル上にプリプレグ（カーボン繊維強化樹脂シート）を所望の形状に切断して複数層巻付け、たとえばポリプロピレン等からなる延伸テープでテーピングをして加熱硬化させる。その後、上下端を切断し、研磨等の所定の仕上げ処理を行なってシャフト部３を作製することができる。
【００２５】
なお、シャフト部３の作製に際しては、シャフト部３の軸方向に対するカーボン繊維配向角が様々なプリプレグ（たとえば＋４５°、−４５°等）や、繊維配向角を有しないストレート層用のプリプレグをはじめとする様々なプリプレグを使用可能である。
【００２６】
グリップ部４は、テーパ筒状の形状を有し、ゴム等の弾性材料によって作製することができる。このグリップ部４内にシャフト部３の基端部が圧入され、固定される。
【００２７】
本実施の形態のゴルフクラブ１は、硬さの異なる３種類以上のシャフトフレックス展開をしたものである。
【００２８】
たとえばシャフトフレックス（硬さ：曲げ剛性）が３種類である場合、各ゴルフクラブ１は、「硬さ１」、「硬さ２」、「硬さ３」の３段階の硬さのシャフト部３を備えることとなる。本実施の形態では、「硬さ１」、「硬さ２」、「硬さ３」の順にシャフト部３は硬くなるものとする。なお、４種類以上のシャフトフレックス展開を行なうことも可能である。
【００２９】
本実施の形態のゴルフクラブ１では、上記「硬さ１」〜「硬さ３」の各ゴルフクラブ１のシャフト部３に組付ける前の状態のヘッド部２の質量がほぼ同一となる（ヘッド部２の質量差の最大値が０．５ｇ以下）ように、各ゴルフクラブ１のスイングバランスやシャフト部３の質量等を調整する。たとえば、シャフトフレックスが硬くなるに従って１段階ずつ各ゴルフクラブ１のスイングバランスを増加させるとともに、シャフトフレックスが硬くなるに従って各ゴルフクラブ１のシャフト部３の質量を増加させる。
【００３０】
スイングバランスの指標としては、たとえばＡ０〜Ａ９、Ｂ０〜Ｂ９、Ｃ０〜Ｃ９、Ｄ０〜Ｄ９、Ｅ０〜Ｅ９までの５０段階の指標が存在するが、本実施の形態のゴルフクラブ１では、「硬さ１」〜「硬さ３」のシャフトフレックスの変化に応じて、１段階ずつスイングバランスを増加させる。
【００３１】
たとえば、シャフトフレックスが「硬さ１」のゴルフクラブ１のスイングバランスを「Ｃ９」とした場合、シャフトフレックスが「硬さ２」のゴルフクラブ１のスイングバランスを「Ｄ０」とし、シャフトフレックスが「硬さ３」のゴルフクラブ１のスイングバランスを「Ｄ１」とする。市場には、シャフトフレックス（硬さ・曲げ剛性）が異なっても、同じスイングバランスとするゴルフクラブが多く存在するが、本実施の形態のように、「硬さ１」のスイングバランスを軽めにして、「硬さ３」のスイングバランスを重めにすることにより、「硬さ１」を非力なゴルファーに、「硬さ３」を力のあるゴルファーに提供することにより、幅広い対象のゴルファーに合致したゴルフクラブを提供することが可能となる。
【００３２】
各ゴルフクラブ１のシャフト部３の質量は、ウッド型ゴルフクラブの場合、各シャフトフレックス間で６〜８．５ｇずつ変化させる。たとえば、シャフトフレックスが「硬さ１」のゴルフクラブ１のシャフト部３の質量を４８ｇとした場合、シャフトフレックスが「硬さ２」のゴルフクラブ１のシャフト部３の質量を５５ｇとし、シャフトフレックスが「硬さ３」のゴルフクラブ１のシャフト部３の質量を６２ｇとする。
【００３３】
なお、上記各ゴルフクラブ１のグリップ部４の質量は４１ｇであり、シャフト部３の重心率は４８％であり、クラブ長さは４５インチ（１１４３ｍｍ）である。
【００３４】
上記のようにスイングバランスを各シャフトフレックス間で１段階ずつ増加させる一方で、各シャフトフレックス間でシャフト部３の質量を６〜８．５ｇずつ変化させることにより、シャフト部３に組付ける前の各ゴルフクラブ１のヘッド部２間の質量差の最大値を０．５ｇ以下に抑えることができる。それにより、ヘッド部２に付加すべき質量を低減しながらゴルフクラブ１のバランスをも調整することができ、各シャフトフレックスのゴルフクラブ１のヘッド部２間の特性や性能のばらつきを低減することができる。その結果、シャフトフレックスの異なる同一モデルのゴルフクラブ１のヘッド部２間で品質を維持することができる。
【００３５】
なお、上記ゴルフクラブ１のヘッド部２の質量が１ｇ変化することで、反発係数（ＣＯＲ）は最大０．００３程度変化し、慣性モーメントは最大４０ｇ・ｃｍ２程度変化し、ヘッド部２の重心位置は最大０．３ｍｍ程度変化する可能性がある。これらの各値の変化量は、ヘッド部２の質量変化が大きいほど大きくなる。因みにプロゴルファの中には、ゴルフクラブの質量が１ｇ変化しても見極める人がいるが、０．５ｇ程度の変化では、プロゴルファといえども違いを見極めるのは困難であると考えられる。
【００３６】
下記の表１に、本実施の形態の各モデルのゴルフクラブ１のシャフトフレックス（Ｆｌｅｘ）、１４インチスイングバランス（Ｂａｌａｎｃｅ）、シャフト部３の質量（ＳＷ（ｇ））、シャフト部３の重心率（ＳＣＧ（％））、ヘッド部２の質量（ＨＷ（ｇ））、ヘッド部２の質量差（ＨＷＤ（ｇ））の各値を示す。
【００３７】
【表１】
2009240627.tif 000003
【００３８】
表１に示すように、シャフトフレックスが「硬さ１」〜「硬さ３」と硬くなるに従って各ゴルフクラブ１のスイングバランスを「Ｃ９」〜「Ｄ１」に１段階ずつ増加させるとともに、シャフトフレックスが硬くなるに従って各ゴルフクラブ１のシャフト部３の質量を７ｇ〜８ｇずつ増加させたモデル３〜５については、各ゴルフクラブ１のヘッド部２の質量差の最大値を０．５ｇ以下とすることができることがわかる。
【００３９】
ここで、本願発明者等は、異なるシャフトフレックスのゴルフクラブ１間のシャフト部３の質量差と、異なるシャフトフレックスのゴルフクラブ１間のヘッド部２の質量差との関係についても検討したので、その結果について図２を用いて説明する。
【００４０】
図２には、異なるシャフトフレックスのゴルフクラブ１間のシャフト部３の質量差（フレックス間の質量差）と、異なるシャフトフレックスのゴルフクラブ１間のヘッド部２の質量差（フレックス間のヘッド質量差）との関係を示す。なお、図２では、表１に示すモデル１〜６以外のモデルのデータも記載している。
【００４１】
図２に示すように、各ゴルフクラブ１のシャフト部３の質量差が６ｇ以上８．５ｇ以下の場合に、各ゴルフクラブ１のヘッド部２の質量差の最大値を０．５ｇ以下とすることができることがわかる。また、各ゴルフクラブのシャフト部３の質量差を７．２ｇとすることにより、ヘッド部２の質量差をほぼ０（ゼロ）ｇとすることができる。
【００４２】
次に、本願発明者等は、１４インチスイングバランス（Ｂａｌａｎｃｅ）と、シャフト部３の質量（ＳＷ（ｇ））と、シャフト部３の重心率（ＳＣＧ（％））とを変化させたモデルについても検討したので、その結果について表２を用いて説明する。下記の表２には、１４インチスイングバランスと、シャフト部３の質量と、シャフト部３の重心率とを変化させたモデル７〜１２の各値を示す。なお、シャフト部３の重心率を変化させるには、たとえば、硬さを調整するためにも、一層多く繊維層を配置するが、よりシャフト重心から離れた位置に配置することで重心率を大きく変化させることができる。
【００４３】
【表２】
2009240627.tif 000004
【００４４】
表２のモデル７〜９に示すように、シャフトフレックスが硬くなるに従ってシャフト部３の質量を３ｇ〜６ｇの範囲で増加させた場合でも、シャフト部３の重心率をシャフトフレックスが硬くなるに従って増加させることで、各ゴルフクラブ１のヘッド部２の質量差をほぼ０（ゼロ）ｇとすることができる。なお、シャフト部３の質量を７．２ｇずつ変化させた場合には、上述のようにシャフト部３の重心率を変化させなくても各ゴルフクラブ１のヘッド部２の質量差をほぼ０（ゼロ）ｇとすることができることから、シャフト部３の質量の変化量を３ｇ以上７．２ｇ未満とした場合に、シャフト部３の重心率をシャフトフレックスが硬くなるに従って適切に増加させることで、各ゴルフクラブ１のヘッド部２の質量差をほぼ０（ゼロ）ｇとすることができるものと考えられる。
【００４５】
また、表２のモデル１０〜１２に示すように、シャフトフレックスが硬くなるに従ってシャフト部３の質量を９ｇ〜１２ｇの範囲で増加させた場合でも、シャフト部３の重心率をシャフトフレックスが硬くなるに従って減少させることで、各ゴルフクラブ１のヘッド部２の質量差をほぼ０（ゼロ）ｇとすることができる。よって、シャフト部３の質量の変化量を７．２ｇより大きく１２ｇ以下とした場合も、シャフト部３の重心率をシャフトフレックスが硬くなるに従って適切に減少させることで、各ゴルフクラブ１のヘッド部２の質量差をほぼ０（ゼロ）ｇとすることができるものと考えられる。
【００４６】
つまり、ウッド型のゴルフクラブ１について、シャフト部３の質量変化が６〜８．５ｇの範囲外である場合でも、シャフト部３の重心率を適切に調整することで、各ゴルフクラブ１のヘッド部２の質量差を低減することができる。
【００４７】
次に、本願発明者等は、アイアン型のゴルフクラブについても同様の検討を行なったので、その結果について表３を用いて説明する。
【００４８】
表３は、５番アイアンについてのモデル１３，１４と、サンドウェッジについてのモデル１５，１６についてのシャフトフレックス（Ｆｌｅｘ）、１４インチスイングバランス（Ｂａｌａｎｃｅ）、シャフト部の質量（ＳＷ（ｇ））、シャフト部の重心率（ＳＣＧ（％））、ヘッド部の質量（ＨＷ（ｇ））、ヘッド部の質量差（ＨＷＤ（ｇ））の各値を示す。
【００４９】
【表３】
2009240627.tif 000005
【００５０】
表３のモデル１３に示すように、アイアン型のゴルフクラブの場合に、シャフトフレックスが硬くなるに従ってシャフト部の質量を１１．７５ｇずつ増加させることで、各ゴルフクラブのヘッド部の質量差をほぼ０（ゼロ）ｇとすることができる。
【００５１】
また、表３のモデル１４に示すように、シャフトフレックスが硬くなるに従ってシャフト部の質量を１０ｇずつ増加させ、かつシャフト部の重心率をシャフトフレックスが硬くなるに従って増加させることで、各ゴルフクラブのヘッド部の質量差をほぼ０（ゼロ）ｇとすることができる。
【００５２】
また、表３のモデル１５に示すように、シャフトフレックスが硬くなるに従ってシャフト部の質量を約２６ｇずつ増加させることで、各ゴルフクラブのヘッド部の質量差をほぼ０（ゼロ）ｇとすることができる。
【００５３】
また、表３のモデル１６に示すように、シャフトフレックスが硬くなるに従ってシャフト部の質量を７ｇずつ増加させ、かつシャフト部の重心率をシャフトフレックスが硬くなるに従って増加させることで、各ゴルフクラブのヘッド部の質量差をほぼ０（ゼロ）ｇとすることができる。
【００５４】
上記のように、アイアン型のゴルフクラブの場合も、ウッド型のゴルフクラブの場合と同様に、シャフトフレックスが硬くなるに従って１段階ずつ各ゴルフクラブのスイングバランスを増加させるとともに、シャフトフレックスが硬くなるに従って各ゴルフクラブのシャフト部の質量を所定量だけ増加させることで、シャフト部に組み付ける前の各ゴルフクラブのヘッド部間の質量差の最大値を０．５ｇ以下とすることができる。また、シャフト部の質量のみならずシャフト部の重心率をも変化させることで、シャフト部の質量変化範囲を拡張することができ、設計の自由度を向上することができる。
【００５５】
以上のように、本実施の形態のゴルフクラブ１は、同一モデルで異なるシャフトフレックスを有していても、シャフト部３との組付け前のヘッド部２の質量(粘着材、シャフト先端内部錘を含む)をほぼ同一に設定することができる。それにより、異なるシャフトフレックス展開をしている同一モデルのゴルフクラブ１間で、ヘッド部２の反発特性や慣性モーメントや重心位置の望ましくない変動を効果的に抑制することができる。その結果、同一モデルでシャフトフレックスの異なる全てのゴルフクラブの品質精度のばらつきを抑制することができ、シャフトフレックスの異なる同一モデルのゴルフクラブ１間での品質を高品質に維持することができる。
【００５６】
なお、上述の実施の形態では、ゴルフクラブ１のヘッド部２をシャフト部３に接着剤等により固着する例について説明したが、ヘッド部２をシャフト部３から取外し可能としてもよい。たとえば、ヘッド部２のホーゼル部とシャフト部３の先端部にそれぞれネジ部を形成し、該ネジ部同士を螺着することで、ヘッド部２をシャフト部３に取外し可能に固着することができる。
【００５７】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【図面の簡単な説明】
【００５８】
【図１】本発明の１つの実施の形態におけるゴルフクラブの正面図である。
【図２】異なるシャフトフレックスのゴルフクラブ間のシャフト部の質量差とヘッド部の質量差との関係を示す図である。
【符号の説明】
【００５９】
１  ゴルフクラブ、２  ヘッド部、３  シャフト部、４  グリップ部。
【図１】
2009240627.tif 000006
【図２】
2009240627.tif 000007